(57)【要約】【課題】燃料電池スタックの締結装置において、燃料電池スタックの分離板に作用する面圧を均一化し、不必要なベンディング荷重を最少化して、燃料電池スタックの気密性を向上させることができる、燃料電池スタックの締結装置を提供する。【解決手段】膜電極アセンブリー及び分離板が交互に積層されて形成される燃料電池スタックの締結装置であって、前記燃料電池スタックの両端に各々装着され、前記燃料電池スタックを支持する一対のエンドプレート；及び、前記燃料電池スタックの積層方向にのび、前記エンドプレートを設定された圧力で加圧する複数の締結バンド；を含み、前記複数の締結バンドには設定された残留応力が加えられ、前記エンドプレートを加圧する前記設定された圧力は、前記残留応力によって形成されることを特徴とする。【選択図】図３
2005142145.tif 000002
【特許請求の範囲】
【請求項１】
膜電極アセンブリー及び分離板が交互に積層されて形成される燃料電池スタックの締結装置であって、
前記燃料電池スタックの両端に各々装着され、前記燃料電池スタックを支持する一対のエンドプレート；及び
前記燃料電池スタックの積層方向にのび、前記エンドプレートを設定された圧力で加圧する複数の締結バンド；を含むことを特徴とする燃料電池スタックの締結装置。
【請求項２】
前記複数の締結バンドには設定された残留応力が加えられ、前記エンドプレートを加圧する前記設定された圧力は、前記残留応力によって形成されることを特徴とする請求項１に記載の燃料電池スタックの締結装置。
【請求項３】
前記燃料電池スタックは直方体であり、
前記複数の締結バンドは、前記燃料電池スタックの積層方向にのびるＵ字形の締結バンドを含み、
前記Ｕ字形の締結バンドの閉鎖部は一方のエンドプレートを囲み、前記Ｕ字形の締結バンドの開放部は他方のエンドプレートを弾支することを特徴とする請求項２に記載の燃料電池スタックの締結装置。
【請求項４】
前記複数の締結バンドは、第１及び第２締結バンドを含み、
第１及び第２締結バンドの閉鎖部は互いに異なるエンドプレートを囲み、
第１及び第２締結バンドの延長部は互いに異なる側面上にのびていることを特徴とする請求項３に記載の燃料電池スタックの締結装置。
【請求項５】
前記複数の締結バンドは、第１及び第２締結バンドを含み、
前記第１及び第２締結バンドの閉鎖部は同一なエンドプレートを囲み、
前記第１及び第２締結バンドの延長部は同一な側面上にのびていることを特徴とする請求項３に記載の燃料電池スタックの締結装置。
【請求項６】
前記複数の締結バンドは、第１及び第２締結バンドを含み、
前記第１及び第２締結バンドの閉鎖部は互いに異なるエンドプレートを囲み、
前記第１及び第２締結バンドの延長部は互いに異なる角部上にのびていることを特徴とする請求項３に記載の燃料電池スタックの締結装置。
【請求項７】
前記複数の締結バンドは、前記燃料電池スタックの積層方向にのびるＩ字形の締結バンドをさらに含み、
前記Ｉ字形の締結バンドは、一方のエンドプレートから他方のエンドプレートにのびていることを特徴とする、請求項３に記載の燃料電池スタックの締結装置。
【請求項８】
前記複数の締結バンドは、
Ｕ字形の第１及び第２締結バンド；及びＩ字形の第３及び第４締結バンド；を含み、
前記第１及び第２締結バンドの閉鎖部は互いに異なるエンドプレートを囲み、前記第１及び第２締結バンドの延長部は互いに異なる角部上にのびており、
前記第３及び第４締結バンドは、平行な二つの側面上にのびていることを特徴とする請求項７に記載の燃料電池スタックの締結装置。
【請求項９】
前記複数の締結バンドは、
Ｉ字形の第５及び第６締結バンドをさらに含み、
前記第５及び第６締結バンドは、他の平行な二つの側面上にのびていることを特徴とする請求項８に記載の燃料電池スタックの締結装置。
【請求項１０】
前記燃料電池スタックは直方体であり、
前記複数の締結バンドは、前記燃料電池スタックの積層方向にのびるＩ字形の第１及び第２締結バンドを含み、
前記第１及び第２締結バンドの両終端は前記燃料電池スタックの両端に向かって各々ベンディング加工されて前記エンドプレートを弾支することを特徴とする請求項２に記載の燃料電池スタックの締結装置。
【請求項１１】
前記締結バンドと前記燃料電池スタックとの間に介される絶縁フィルムをさらに含むことを特徴とする請求項１乃至１０に記載の燃料電池スタックの締結装置。
【請求項１２】
前記締結バンドは、繊維強化高分子材料で形成されることを特徴とする請求項１１に記載の燃料電池スタックの締結装置。
【請求項１３】
前記締結バンドは、ステンレススチールで形成されることを特徴とする請求項１１に記載の燃料電池スタックの締結装置。
【請求項１４】
前記複数の締結バンドの終端を前記エンドプレートに固定する固定手段をさらに含むことを特徴とする請求項１１に記載の燃料電池スタックの締結装置。
【請求項１５】
前記固定手段は、ボルト、溶接、及びリベットのうちのいずれか一つであることを特徴とする請求項１４に記載の燃料電池スタックの締結装置。
【請求項１６】
膜電極アセンブリー及び分離板が交互に積層されて形成される燃料電池スタックの締結装置であって、
前記燃料電池スタックの両端に各々装着され、前記燃料電池スタックを支持する一対のエンドプレート；及び
前記燃料電池スタックの積層方向にのび、両終端が前記一対のエンドプレートに各々固定される複数の締結バンド；を含み、
前記一対の前記エンドプレートの縁の各々には互いに対向する複数のスリットが形成され、
前記複数の締結バンドの一方の終端は前記スリットの大きさより大きく、他方の終端は楔状に形成されて、
前記複数の締結バンドは、前記対向する一方のスリットから他方のスリットにスライディング挿入されて固定されることを特徴とする燃料電池スタックの締結装置。
【請求項１７】
前記締結バンドと前記燃料電池スタックとの間に介される絶縁フィルムをさらに含むことを特徴とする請求項１６に記載の燃料電池スタックの締結装置。
【請求項１８】
前記締結バンドは、繊維強化高分子材料で形成されることを特徴とする請求項１７に記載の燃料電池スタックの締結装置。
【請求項１９】
前記締結バンドは、ステンレススチールで形成されることを特徴とする請求項１７に記載の燃料電池スタックの締結装置。
【発明の詳細な説明】
【技術分野】
【０００１】
本発明は燃料電池スタックに関し、より詳しくは、複数の分離板で区分された単位セルを積層して燃料電池スタックを形成する場合に、分離板に作用するベンディング荷重を減少させて、分離板内部の面圧分布を均一にすることができる燃料電池スタックの締結装置に関する。
【背景技術】
【０００２】
一般に、燃料電池は、水素と酸素とを反応させて電気エネルギーを生成する装置であって、膜電極アセンブリー（Ｍｅｍｂｒａｎｅ  Ｅｌｅｃｔｒｏｄｅ  Ａｓｓｅｍｂｌｙ；ＭＥＡ）を備えている。
膜電極アセンブリーは、水素イオンが伝達される電解質膜を介して、両側に水素が供給される燃料極（ａｎｏｄｅ）と空気が供給される空気極（ｃａｔｈｏｄｅ）とを備え、膜電極アセンブリー及び分離板が交互に積層されて、燃料電池スタックを形成する。
【０００３】
この時、燃料電池スタックの出力電圧は各単位セルの出力電圧を合算した大きさである。
燃料電池スタックの性能は、その出力電圧の大きさで評価され、出力電圧は、分離板と分離板との間の面圧の影響を受ける。
燃料電池スタックの分離板は、一般に、炭素繊維複合材料で形成され、ガスケットを利用して電気化学反応のための燃料が漏れ出ないようにしている。
分離板の一側面に形成された燃料流路を通過する水素は、ガス拡散層（ｇａｓ  ｄｉｆｆｕｓｉｏｎ  ｌａｙｅｒ；ＧＤＬ）を通じて膜電極アセンブリーの燃料極に供給され、燃料極でイオン化された水素イオンは、膜電極アセンブリーを通過して空気極に到達する。空気極には、これに隣接した分離板に形成された空気流路を通じて供給される空気（より具体的には酸素）がイオン化されて、水素イオンとの化学反応によって水及び電流が発生する。
【０００４】
燃料電池スタックの効率を評価する際には、燃料電池スタックの両終端に形成された電極（通常、電流集電体という）を通じて出力される電流の強さを利用することができ、この時、分離板と分離板との間の面圧は、前記電流の強さに影響を与える。
前記面圧が小さすぎる場合には分離板と分離板との間の接触抵抗が大きくなって電流が流れず、面圧が大きすぎる場合にはガス拡散層が圧縮されてガスの拡散が効率的に起こらないことがある。
【０００５】
したがって、生成された電流の強さが最も優れている所定の面圧が存在し、燃料電池スタックの外部に機構的締結装置を備えて、前記面圧を調節する。
従来技術による燃料電池スタックの締結装置を、図１及び図２に示す。
図１に示す従来技術による燃料電池スタックの締結装置は、燃料電池スタック１１の両端を支持する二つのエンドプレート１２；前記二つのエンドプレート１２を連結する複数の締結棒１３；及び締結棒１３をエンドプレート１２に固定する締結ナット１４；を含む。
【０００６】
締結棒１３の両終端には雄ネジ１５が形成され、締結ナット１４は雄ネジ１５が形成された締結棒１３の両終端に結合される。したがって、二つのエンドプレート１２の間に介された燃料電池スタック１１の分離板の間の面圧は、前記締結ナット１４の締め具合によって調節することができる。
しかし、前記締結装置によると、締結棒１３と燃料電池スタック１１との間に存在する間隔によって不必要なベンディング荷重がエンドプレート１２に作用し、したがって、エンドプレート１２の間に介された燃料電池スタック１１で分離板の間の面圧がスタックの面積全体に対して均一に維持されず、燃料電池スタック１１の気密を維持するのが難しいという問題点があった。
【０００７】
また、締結棒１３が燃料電池スタック１１の外部に間隔をおいて位置するので、全体の体積が増加するという問題点があった。
前記問題点を解決するために、米国特許ＵＳ６，２７０，９１７Ｂ１では、締結棒が分離板の内部に位置するようにして、締結棒による不必要な体積の増加を防止しているが、この場合、従来の分離板を新たに設計しなければならないだけでなく、分離板の内部に締結棒が位置するので、燃料電池スタックの構造が複雑になるという問題点があった。
【特許文献１】米国特許ＵＳ６，２７０，９１７
【特許文献２】特開２０００−２０８１６３号公報
【発明の開示】
【発明が解決しようとする課題】
【０００８】
したがって、本発明は、前記問題点を解決するためのものであって、燃料電池スタックに発生する不必要なベンディング荷重を最少化することによって、分離板に作用する面圧を均一化して、燃料電池スタックの気密性を向上できる、燃料電池スタックの締結装置を提供することを目的とする。
また、本発明は、燃料電池スタックの形状を変更せずに外部に容易に締結することができ、その構造が簡単な、燃料電池スタックの締結装置を提供することを目的とする。
以下の本発明では、燃料電池スタックが直方体である場合、エンドプレートが備えられた面を終端面と定義し、残りの面を側面と定義し、側面と側面とが交わる線を角部と定義する。
【課題を解決するための手段】
【０００９】
前記目的を達成するための本発明による燃料電池スタックの締結装置は、膜電極アセンブリー及び分離板が交互に積層されて形成される燃料電池スタックの締結装置であって、前記燃料電池スタックの両端に各々装着され、前記燃料電池スタックを支持する一対のエンドプレート；及び前記燃料電池スタックの積層方向にのび、前記エンドプレートを設定された圧力で加圧する複数の締結バンド；を含んで構成される。
【００１０】
複数の締結バンドには設定された残留応力が加えられ、前記エンドプレートを加圧する前記設定された圧力は、前記残留応力によって形成されるのが好ましい。
また、前記燃料電池スタックは直方体であり、前記複数の締結バンドは、前記燃料電池スタックの積層方向にのびるＵ字形の締結バンドを含み、前記Ｕ字形の締結バンドの閉鎖部は一方のエンドプレートを囲み、前記Ｕ字形の締結バンドの開放部は他方のエンドプレートを弾支するのが好ましい。
【００１１】
この時、前記複数の締結バンドは、第１及び第２締結バンドを含み、第１及び第２締結バンドの閉鎖部は互いに異なるエンドプレートを囲み、第１及び第２締結バンドの延長部は互いに異なる側面上にのびている。
また、前記複数の締結バンドは、第１及び第２締結バンドを含み、前記第１及び第２締結バンドの閉鎖部は同一なエンドプレートを囲み、前記第１及び第２締結バンドの延長部は同一な側面上にのびている。
また、前記複数の締結バンドは、第１及び第２締結バンドを含み、前記第１及び２締結バンドの閉鎖部は互いに異なるエンドプレートを囲み、前記第１及び第２締結バンドの延長部は互いに異なる角部上にのびている。
【００１２】
前記複数の締結バンドは、前記燃料電池スタックの積層方向にのびるＩ字形の締結バンドをさらに含み、前記Ｉ字形の締結バンドは、一方のエンドプレートから他方のエンドプレートにのびている。
また、前記複数の締結バンドは、Ｕ字形の第１及び第２締結バンド；及びＩ字形の第３及び第４締結バンド；を含み、前記第１及び第２締結バンドの閉鎖部は互いに異なるエンドプレートを囲み、前記第１及び第２締結バンドの延長部は互いに異なる角部上にのびており、前記第３及び第４締結バンドは、平行な二つの側面上にのびている。
【００１３】
前記複数の締結バンドは、Ｉ字形の第５及び第６締結バンドをさらに含み、前記第５及び第６締結バンドは、他の平行な二つの側面上にのびている。
前記燃料電池スタックは直方体であり、前記複数の締結バンドは、前記燃料電池スタックの積層方向にのびるＩ字形の第１及び第２締結バンドを含み、前記第１及び第２締結バンドの両終端は前記燃料電池スタックの両端に向かって各々ベンディング加工されて前記エンドプレートを弾支する。
また、前記複数の締結バンドの終端を前記エンドプレートに固定する固定手段をさらに含み、前記固定手段は、ボルト、溶接、及びリベットのうちのいずれか一つである。
【００１４】
また、本発明は、膜電極アセンブリー及び分離板が交互に積層されて形成される燃料電池スタックの締結装置であって、前記燃料電池スタックの両端に各々装着され、前記燃料電池スタックを支持する一対のエンドプレート；及び前記燃料電池スタックの積層方向にのび、両終端が前記一対のエンドプレートに各々固定される複数の締結バンド；を含み、一対の前記エンドプレートの縁の各々には互いに対向する複数のスリット１２５が形成され、前記複数の締結バンドの一方の終端はスリット１２５の大きさより大きく、他方の終端は楔状に形成されて、前記複数の締結バンドが前記対向する一方のスリット１２５から他方のスリット１２５にスライディング挿入されて固定される。
【発明の効果】
【００１５】
本発明による燃料電池スタックの締結装置によれば、不必要なベンディング荷重を最少化するので、燃料電池スタックの気密性を向上させることが可能な燃料電池スタックの締結装置を提供することができる。
また、本発明による燃料電池スタックの締結装置によれば、従来の締結構造で形成される不必要な空間を除去することができるので、燃料電池スタック全体の体積をコンパクトにできる。
また、本発明による燃料電池スタックの締結装置によれば、燃料電池スタックの形状を変更せずに外部に容易に締結することができるので、その構造が簡単な燃料電池スタックの締結装置を提供することができる。
【発明を実施するための最良の形態】
【００１６】
以下、本発明の好ましい実施例を、添付した図面を参照して詳細に説明する。
以下の説明で、従来と同一な構成要素については同一な図面符号を使用する。
【実施例】
【００１７】
図３に、本発明の第１実施例による燃料電池スタックの締結装置を示す。
図３に示すように、膜電極アセンブリー及び分離板が交互に積層されて燃料電池スタック１１が形成され、燃料電池スタック１１の両終端には各々エンドプレート１２ａ、１２ｂが装着される。
第１締結バンド２１及び第２締結バンド２２はＵ字形に形成される。
第１締結バンド２１は燃料電池スタック１１の平行な二つの側面上にのび、第２締結バンド２２は燃料電池スタック１１の平行な他の二つの側面上にのびている。
【００１８】
この時、第１締結バンド２１及び第２締結バンド２２の開放部は各々互いに異なるエンドプレート１２ａ、１２ｂに弾支され、第１締結バンド２１及び第２締結バンド２２は互いに交差しない。
Ｕ字形の第１及び第２締結バンド２１、２２に形成された開放部の両終端は内側にベンディング加工されており、第１及び第２締結バンド２１、２２に形成された残留応力によって、エンドプレート１２ａ、１２ｂは設定された圧力で加圧される。
【００１９】
第１及び第２締結バンド２１、２２は、強度増加及び腐蝕防止のために、ステンレスまたはガラス繊維強化プラスチックで形成される。
エンドプレート１２ａ、１２ｂは、アルミニウム合金、ステンレス、ガラス繊維強化プラスチックで形成される。
第１及び第２締結バンド２１、２２は、固定手段によってエンドプレート１２ａ、１２ｂに固定され、燃料電池スタック１１の側面と第１及び第２締結バンド２１、２２との間には絶縁フィルムが挿入される。
【００２０】
固定手段及び絶縁フィルムを備えた場合の燃料電池スタックの締結装置の一部断面図を図４に示す。
図４に示すように、エンドプレート１２ａ、１２ｂは、締結バンド２１、２２及びボルト２３によって固定され、ボルト２３と締結バンド２１、２２との間にはワッシャ２４が挿入される。
固定手段は、ボルト２３以外にもリベットや溶接などの方法を利用することができる。
燃料電池スタック１１の側面と第１及び第２締結バンド２１、２２との間に絶縁のための絶縁フィルム２５を挿入する場合、絶縁フィルム２５は、非伝導性高分子物質であることが好ましい。
【００２１】
図５には、本発明の第２実施例による燃料電池スタックの締結装置を示す。
燃料電池スタック１１及びエンドプレート１２ａ、１２ｂの構成は第１実施例と同一であるので、以下では図３の第１実施例との差異点を中心に説明する。
第２実施例では、Ｕ字形の第１締結バンド５１は燃料電池スタック１１の平行な二つの側面上にのび、Ｕ字形の第２締結バンド５２も燃料電池スタック１１の平行な二つの側面上にのびている。
この時、第１締結バンド５１及び第２締結バンド５２の開放部は各々互いに異なるエンドプレート１２ａ、１２ｂに弾支され、第１締結バンド５１及び第２締結バンド５２は互いに交差しない。
第１及び第２締結バンド５１、５２がその上にのびる燃料電池スタック１１の平行な二つの側面は、他の二つの側面より広い側面であるのが好ましい。
【００２２】
図６には、本発明の第３実施例による燃料電池スタックの締結装置を示す。
図６の第３実施例による燃料電池スタックの締結装置は、図５の第２実施例と類似した構造であるが、第１締結バンド６１及び第２締結バンド６２の開放部が燃料電池スタック１１の同一なエンドプレート１２ａに弾支される。
【００２３】
図７には、本発明の第４実施例による燃料電池スタックの締結装置を示す。
第４実施例では、Ｕ字形の第１及び第２締結バンド７１、７２は互いに異なる角部上にのび、第１及び第２締結バンド７１、７２の開放部は互いに異なるエンドプレート１２ａ、１２ｂに各々弾支され、第１締結バンド７１及び第２締結バンド７２は互いに交差しない。
即ち、第１締結バンド７１がのびている角部は対角線方向に対向している二つの角部であり、第２締結バンド７２がのびている角部は他の二つの角部である。
第１及び第２締結バンド７１、７２は、燃料電池スタック１１の角部上にのびていなければならないので、第１及び第２締結バンド７１、７２は、燃料電池スタックの角部の形状と結合できるように形成される。
【００２４】
図８には、本発明の第５実施例による燃料電池スタックの締結装置を示す。
図８の第５実施例による燃料電池スタックの締結装置は、図７の第４実施例に第３及び第４締結バンド８１、８２が追加形成されたものである。
第３及び第４締結バンド８１、８２はＩ字形の締結バンドであって、燃料電池スタック１１の積層方向に、燃料電池スタック１１の平行な二つの側面上にのびている。
Ｉ字形の第３及び第４締結バンド８１、８２の両終端は互いに異なるエンドプレート１２ａ、１２ｂに弾支され、第１、第２、第３、第４締結バンド７１、７２、８１、８２は互いに交差しない。
【００２５】
図９には、本発明の第６実施例による燃料電池スタックの締結装置を示す。
図９の第６実施例による燃料電池スタックの締結装置は、図８の第５実施例に第５及び第６締結バンド９１、９２が追加的形成されたものである。
第５及び第６締結バンド９１、９２はＩ字形の締結バンドであって、第３及び第４締結バンド８１、８２と同一な形状であり、第３及び第４締結バンド８１、８２がのびている燃料電池スタック１１の積層方向の二つの側面以外の他の平行な二つの側面上にのびている。
Ｉ字形の第５及び第６締結バンド９１、９２の両終端は第３及び第４締結バンド８１、８２と同様に互いに異なるエンドプレート１２ａ、１２ｂに弾支され、第１、第２、第３、第４、第５、第６締結バンド７１、７２、８１、８２、９１、９２は互いに交差しない。
【００２６】
図１０には、本発明の第７実施例による燃料電池スタックの締結装置を示す。
図１０に示すように、第７実施例による燃料電池スタックの締結装置は、他の実施例と同様に燃料電池スタック１１が直方体であり、燃料電池スタック１１の両端に装着されるエンドプレート１２ａ、１２ｂ及びＩ字形の第１及び２締結バンドを含む。
【００２７】
ただし、第１及び第２締結バンド１１０、１１２は、燃料電池スタックの長さ方向にのび、平行な二つの側面を囲むように形成される。
この時、第１及び第２締結バンド１１０、１１２の幅は、囲む側面の幅と同一に形成され、第１及び第２締結バンド１１０、１１２は、エンドプレート１２ａ、１２ｂの外部にのびているが、両終端はエンドプレート１２ａ、１２ｂに向かってベンディング加工されてエンドプレート１２ａ、１２ｂに弾支される。
第１及び第２締結バンド１１０、１１２のベンディング程度を調節することによって、燃料電池スタック１１の積層方向に作用する面圧を制御することができる。
【００２８】
図１１には、本発明の第８実施例による燃料電池スタックの締結装置を示す。
図１１に示すように、第８実施例による燃料電池スタックの締結装置は、縁に複数のスリット１２５が各々形成されたエンドプレート１２１ａ、１２１ｂ及び複数の締結バンド１２２、１２３、１２４を含む。
複数のスリット１２５は燃料電池スタックに対して中心対称に形成され、二つのエンドプレート１２１ａ、１２１ｂに形成された各々のスリット１２５は互いに対向するように形成されて、各々の締結バンド１２２、１２３、１２４が対向する一対のスリット１２５と結合される。
【００２９】
複数のスリット１２５の数と複数の締結バンド１２２、１２３、１２４の数とは同一であり、一例として、図面に示すように６個形成されるが、これに限定されない。
各々の締結バンド１２２、１２３、１２４は同一形状であり、一つの締結バンド１２３の具体的な形状を図１２に示す。
【００３０】
図１２に示すように、締結バンド１２２、１２３、１２４の一方の終端１２３ｃはスリット１２５の大きさより大きく、他方の終端１２３ａは楔状である。また、両終端の間の延長部はスリット１２５の大きさより小さい。
したがって、締結バンド１２２、１２３、１２４は一方のエンドプレートに形成されたスリット１２５から他方のエンドプレートに形成された対向するスリット１２５に容易にスライディング挿入し、固定できる。
一対のエンドプレート１２１ａ、１２１ｂの間に固定された締結バンド１２２、１２３、１２４は、設定された圧力で燃料電池スタック１１を積層方向に加圧して、燃料電池スタックの面圧を形成する。
【００３１】
以上で本発明の好ましい実施例を説明したが、本発明は前記実施例に限定されず、本発明の属する技術的範囲を逸脱しない範囲での全ての変更が含まれる。
【図面の簡単な説明】
【００３２】
【図１】従来の技術による燃料電池スタックの締結構造を示した図面である。
【図２】図１の燃料電池スタックにおける締結棒とエンドプレートとの結合関係を示した一部断面図である。
【図３】本発明の第１実施例による燃料電池スタックの締結装置を示した図面である。
【図４】図３の第１実施例における締結バンドとエンドプレートとの結合関係を示した一部断面図である。
【図５】本発明の第２実施例による燃料電池スタックの締結装置を示した図面である。
【図６】本発明の第３実施例による燃料電池スタックの締結装置を示した図面である。
【図７】本発明の第４実施例による燃料電池スタックの締結装置を示した図面である。
【図８】本発明の第５実施例による燃料電池スタックの締結装置を示した図面である。
【図９】本発明の第６実施例による燃料電池スタックの締結装置を示した図面である。
【図１０】本発明の第７実施例による燃料電池スタックの締結装置を示した図面である。
【図１１】本発明の第８実施例による燃料電池スタックの締結装置を示した図面である。
【図１２】図１１の締結バンドの形状を示した図面である。
【符号の説明】
【００３３】
１１    燃料電池スタック
１２ａ、１２ｂ、１２１ａ、１２１ｂ    エンドプレート
２１、５１、７１、１１０    第１締結バンド
２２、５２、７２、１１２    第２締結バンド
２３    ボルト
２４    ワッシャ
８１    第３締結バンド
８２    第４締結バンド
９１    第５締結バンド
９２    第６締結バンド
１２２、１２３、１２４    締結バンド
１２５    スリット
【図１】
2005142145.tif 000003
【図２】
2005142145.tif 000004
【図３】
2005142145.tif 000005
【図４】
2005142145.tif 000006
【図５】
2005142145.tif 000007
【図６】
2005142145.tif 000008
【図７】
2005142145.tif 000009
【図８】
2005142145.tif 000010
【図９】
2005142145.tif 000011
【図１０】
2005142145.tif 000012
【図１１】
2005142145.tif 000013
【図１２】
2005142145.tif 000014